(57)【要約】【課題】鼻腔内に発生する液体（鼻水）を吸収できるだけではなく、鼻腔内の清掃を行うことができる鼻腔用クリーナを提供する。【解決手段】吸水性を有し鼻腔内に挿入可能な吸水体１１と、吸水体１１を包む耐水性シート１２と、吸水体１１の基側に設けられた吸水性シート１３と、鼻腔用クリーナ１０の中間位置に設けられた結束バンド（又は締結バンド）１４とを有する。【選択図】  図１
2019005328.tif 000002
【特許請求の範囲】
【請求項１】
吸水性を有し鼻腔内に挿入可能な吸水体と、透水性を有し前記吸水体を包む耐水性シートと、前記吸水体の基側に設けられた吸水性シートとを有する鼻腔用クリーナ。
【請求項２】
請求項１記載の鼻腔用クリーナにおいて、前記吸水体を包む前記耐水性シートは前記吸水体の基側にて結束バンドで固着されていることを特徴とする鼻腔用クリーナ。
【請求項３】
請求項１記載の鼻腔用クリーナにおいて、前記吸水体を包む前記耐水性シートは前記吸水体の基側にて硬化後柔軟性を有する接着剤で固着されていることを特徴とする鼻腔用クリーナ。
【請求項４】
請求項１〜３のいずれか１項に記載の鼻腔用クリーナにおいて、前記吸水体は吸水性ポリマーであって、前記耐水性シートは水に不溶の伸縮性を有する不織布又は織布からなって、前記吸水性シートはティッシュペーパ素材からなることを特徴とする鼻腔用クリーナ。
【発明の詳細な説明】
【技術分野】
【０００１】
本発明は、風邪や花粉症などで鼻水（鼻液）が出たり又は鼻詰りが発生した場合に、鼻腔を清掃したり、場合によっては、薬剤等を塗布するのに使用する鼻腔用クリーナに関する。
【背景技術】
【０００２】
例えば、特許文献１には、鼻腔内に挿入可能な吸水体と、吸水体が回収した液体を排出する液体排出構造とを有する鼻腔用器具が提案されている。
また、特許文献２には、鼻水を吸い取ることのできる円筒状又は円柱状の吸収材で、鼻腔を塞ぐことを特徴とする鼻保護用品が提案されている。
【先行技術文献】
【特許文献】
【０００３】
【特許文献１】特許第４５５８５８５号公報
【特許文献２】特開２００７−０１４７３３号公報
【発明の概要】
【発明が解決しようとする課題】
【０００４】
しかしながら、特許文献１の鼻腔用器具は、吸水体の下部に液体排出構造（管）を有しているので、鼻腔内に鼻腔用器具を支えることができず、常時使用者又は補助者がこの鼻腔用器具を保持している必要があった。また、鼻水は吸水体には吸収されるが、吸水体の下の液体排出構造に流れ出るには時間が掛かるという問題があった。
また、特許文献２記載の鼻保護用品は、鼻水の吸収は行えるが、鼻水を吸収した後の鼻腔内には多少の鼻水が残っており、この鼻水の清掃は困難であるという問題があった。
【０００５】
本発明はかかる事情に鑑みてなされたもので、鼻腔内に発生する液体（鼻水）を吸収できるだけではなく、鼻腔内の清掃を行うことができる鼻腔用クリーナを提供することを目的とする。
【課題を解決するための手段】
【０００６】
前記目的に沿う第１の発明に係る鼻腔用クリーナは、吸水性を有し鼻腔内に挿入可能な吸水体と、透水性を有し前記吸水体を包む耐水性シートと、前記吸水体の基側に設けられた吸水性シートとを有する。なお、吸水体は一般に例えば、球状、楕円回転体又は角部を丸くした円柱状となっているのが好ましい。また、吸水体が紛状物からなる場合は、更に所定形状に保つために透水性予備袋（袋状物）を有してもよい。
【０００７】
また、第２の発明に係る鼻腔用クリーナは、第１の発明に係る鼻腔用クリーナにおいて、前記吸水体を包む前記耐水性シートは前記吸水体の基側にて結束バンドで固着されている。これによって、吸水体の形状を保つことができ、吸水性シートの保持ができる。
【０００８】
第３の発明に係る鼻腔用クリーナは、第１の発明に係る鼻腔用クリーナにおいて、前記吸水体を包む前記耐水性シートは前記吸水体の基側にて硬化後柔軟性を有する接着剤で固着されている。これによって、前記結束バンドより効果的に、吸水体の形状を保つことができ、吸水性シートの保持ができる。
【０００９】
そして、第４の発明に係る鼻腔用クリーナは、第１〜第３の発明に係る鼻腔用クリーナにおいて、前記吸水体は吸水性ポリマーであって、前記耐水性シートは水に不溶の伸縮性を有する不織布又は織布からなって、前記吸水性シートはティッシュペーパ素材からなる。ここで、ティッシュペーパ素材とは、ティッシュペーパそのもの又はティッシュペーパを造る中間原料（素材）をいうが、水に不溶であるのが好ましい。
【発明の効果】
【００１０】
本発明に係る鼻腔用クリーナは、吸水性を有し鼻腔内に挿入可能な吸水体を有するので、鼻水を吸収すると共に、吸水体の基側に設けられた吸水性シートを有するので、残った鼻水を拭くこともできる。
また、全体をコンパクトに形成できるので、使用にあっては、鼻腔用クリーナを常時手などで支える必要はない。
【図面の簡単な説明】
【００１１】
【図１】本発明の第１の実施の形態に係る鼻腔用クリーナの正面図である。
【図２】本発明の第２の実施の形態に係る鼻腔用クリーナの正面図である。
【発明を実施するための形態】
【００１２】
続いて、本発明を具体化した実施の形態について説明し、本発明の理解に供する。
図１に示すように、本発明の第１の実施の形態に係る鼻腔用クリーナは１０、吸水性を有し鼻腔内に挿入可能な吸水体１１と、透水性を有し、吸水体１１を包む耐水性シート１２と、吸水体１１の基側に設けられた吸水性シート１３と、鼻腔用クリーナ１０の中間位置に設けられた結束バンド（又は締結バンド）１４とを有する。以下、これらについて詳しく説明する。
【００１３】
吸水体１１は、例えば自重の５０〜１０００倍の水を吸収可能な高い水分保持機能を有するように設計された高分子吸水材（吸水性ポリマー）であり、紛状、繊維粉状の場合は、予め弾力性、透水性を有する繊維性の予備袋（図示せず）に収納されている。吸水体１１は、鼻腔に装着後膨れ過ぎると鼻腔内に圧力がかかるので、１０〜１００倍程度の膨張性を有するものを使用するのが好ましいが、１０〜１００倍を超えて更に大きな膨張性を有する高分子吸収材でも使用可能である。なお、図１に示すように、楕円回転体状又は円柱状の吸水体１１を直径が０．８〜１．６ｃｍとなるように形成すると、吸水体１１が吸水して膨張しても、鼻腔への圧迫が少なくなる。乾燥した状態の吸水体の直径ｄを求め、（１〜２）ｄの範囲で、吸水体１１の直径を定めることもでき、この場合、吸水体１１が液体（鼻水）を一杯に（飽和状態で）吸収した状態の直径が鼻腔の直径の１．２倍を超えない範囲とするのがよい。また、吸水体１１の長手方向の長さは例えば１〜３ｃｍ（より好ましくは１．５〜２．５ｃｍ）とするのがよい。また、吸水体の膨張率の調整は吸水性ポリマーと非膨張性又は弱膨張性の（粉状、又は繊維状）部材の比率を変えることによって行うことができる。
【００１４】
高分子吸収材としては、通常ポリアクリル酸ナトリウムを使用するのが好ましいが、ポリビニルアルコール、ポリエチレングリコール、水溶性モノマー、アクリルニトリル系高分子化合物など、他の吸水材であってもよい。
なお、高分子吸収材の他に、ティッシュペーパの原料などを粉砕した水吸収材であってもよい。この場合、水を吸収した場合の膨張性が小さくなる。
【００１５】
耐水性シート１２としては、細径の合成樹脂繊維を用い、水に不溶の伸縮性を有する織布、又は不織布を袋状物としたものからなって、内部に収納する高分子吸収材の粉体（吸水体）が漏洩しないようになっている。なお、以上に説明した予備袋を省略して、袋状の耐水性シート１２によって、高分子吸収材を収納し、高分子吸収材の漏洩を防止することもできる。この耐水性シート１２の厚みはできる限り薄いのが好ましい。
【００１６】
吸水性シート１３は、鼻腔内に残った液などを拭き取るものであるので、例えば、ティッシュペーパなどを適当な大きさ（例えば１〜３ｃｍ×２〜７ｃｍ）に切ってティッシュペーパ素材とし、１又は複数枚のティッシュペーパ素材の長方形の短幅の一側を集めてフレアスカート状とし、吸水体１１の下端（基端）に、耐水性シート１２と共に、結束バンド１４で固定するものであってもよい。なお、この吸水性シート１３に吸水性ポリマーをシート状にして使用することもできる。
【００１７】
ここで、結束バンド１４は硬質であると鼻腔に当たるなどの問題があるので、水に溶けない繊維などから形成され、幅が例えば、０．５〜１．５ｃｍとなっている。この結束バンド１４は必ずしも帯状である必要はなく、例えば、０．０５〜１ｍｍ直径の紐又は糸状物であってもよい。なお、結束バンドは片面接着テープなどを使用してもよい。
【００１８】
吸水性シート１３は結束バンド１４の下方から３〜４ｃｍ突出し、吸水性シート１３の端部はスカート状に開く自由端となっている。
吸水性シート１３は必ずしも、ティッシュペーパ素材である必要はなく、吸水性がある紙、又は繊維状のシートであればよい。
【００１９】
この鼻腔用クリーナ１０は、鼻腔内に鼻水などが溜まった場合に、吸水体１１を鼻腔内に挿入する。これによって吸水体１１が鼻水を吸収する。長時間使用すると、吸水体１１が膨れるので、鼻腔用クリーナ１０は短時間の使用が好ましいが、長時間使用が必要な場合は、水吸収時の体積膨張率を低く抑えるようにする（例えば、５〜５０倍）こともできる。
鼻腔のクリーン（清掃）が終わった後、鼻水が鼻腔から垂れ下がる場合は、吸水性シート１３を鼻下に当てて拭き取る。鼻腔用クリーナ１０は使い捨てであるので、使用後はゴミ箱などに廃棄する。
【００２０】
続いて、図２に示す本発明の第２の実施の形態に係る鼻腔用クリーナ２０について説明する。鼻腔用クリーナ２０が、吸水性を有し鼻腔内に挿入可能な吸水体２１と、吸水体２１を包む耐水性シート２２と、吸水体１１の基側に設けられた吸水性シート２３とを有するのは、第１の実施の形態に係る鼻腔用クリーナ１０と共通しているが、鼻腔用クリーナ２０はその中間位置に設けられた結束部２４を有する。
【００２１】
結束部２４は、硬化後柔軟性を有する接着剤を結束部分に染み込ませたもので、例えば、ゴム系接着剤を使用するのがよい。結束部２４の幅は０．５〜１．５ｃｍである。
また、この鼻腔用クリーナ２０の寸法、構造等は第１の実施の形態に係る鼻腔用クリーナ１０と同一である。
また、使用方法も同一であるので、詳しい説明を省略する。
【００２２】
本発明は、前記実施の形態に限定されるものではなく、形状、寸法などの変更は自由である。
【符号の説明】
【００２３】
１０：鼻腔用クリーナ、１１：吸水体、１２：耐水性シート、１３：吸水性シート、１４：結束バンド、２０：鼻腔用クリーナ、２１：吸水体、２２：耐水性シート、２３：吸水性シート、２４：結束部
【図１】
2019005328.tif 000003
【図２】
2019005328.tif 000004